(57)【要約】【課題】簡易な機構で薄型化を図ることのできるクリック機構を有したスライド操作型電気部品を提供する。【解決手段】一面側が開口する収納部１０を有したケース体１と、ケース体１内にスライド自在に保持された操作部材３と、収納部１０の開口１０ａを覆う金属材からなるカバー体２とを備え、操作部材３は金属材からなる係合部材４を保持する保持部３２を備え、カバー体２には操作部材３がスライドするのに伴って係合部材３２が係脱する弾性係合部２２を形成してなる。【選択図】図２
2009064613.tif 000002
【特許請求の範囲】
【請求項１】
一面側が開口する収納部を有したケース体と、該ケース体内にスライド自在に保持された操作部材と、前記収納部の開口を覆う金属材からなるカバー体とを備えたスライド操作型電気部品であって、
前記操作部材は金属材からなる係合部材を保持する保持部を備え、前記カバー体には前記操作部材がスライドするのに伴って前記係合部材が係脱する弾性係合部を形成してなることを特徴とするスライド操作型電気部品。
【請求項２】
前記弾性係合部は前記操作部材の保持部と対向する位置に弾性変形可能に形成されると共に、前記操作部材側に突出する突部を備え、前記係合部材は前記操作部材がスライドするのに伴って前記突部と係脱することを特徴とする請求項１記載のスライド操作型電気部品。
【請求項３】
前記操作部材の保持部は穴状に形成されて前記係合部材を保持し、前記係合部材は少なくとも前記突部と係脱する側が曲面状に形成されてなることを特徴とする請求項２記載のスライド操作型電気部品。
【請求項４】
前記操作部材の保持部は貫通孔として形成され、前記係合部材を球体として前記保持部に保持させてなることを特徴とする請求項３記載のスライド操作型電気部品。
【請求項５】
前記ケース体の前記カバー体の弾性係合部と対向する位置に金属板からなる受部を配設し、前記操作部材がスライドするのに伴って前記受部が前記係合部材を受けることを特徴とする請求項４記載のスライド操作型電気部品。
【請求項６】
前記ケース体には金属板からなる固定接点部材が設けられ、該固定接点部材と前記受部はいずれも前記ケース体にインサート成形されてなることを特徴とする請求項５記載のスライド操作型電気部品。
【請求項７】
前記操作部材の少なくとも保持部及びその近傍は金属材により形成されてなることを特徴とする請求項１〜６のいずれか１項に記載のスライド操作型電気部品。
【発明の詳細な説明】
【技術分野】
【０００１】
本発明は、スライド操作自在な操作部材をケース体に納めたスライド操作型電気部品に関し、特に操作部材のスライドに伴ってクリック感触を創出することのできるスライド操作型電気部品に関する。
【背景技術】
【０００２】
従来、スライド操作自在な操作部材をケース体に納めたスライド操作型電気部品が知られている。スライド操作型電気部品では、スライド操作を操作者が知覚できるようにクリック機構が設けられることがある。このクリック機構としては、金属板からなるカバー内にカム部を設け、操作部材に形成される凹部内にはコイルバネと金属製の球体が収納され、操作部材をスライドさせるのに伴って球体がコイルバネの付勢力によりカム部と係脱し、これによってクリック感触を創出するものが知られている。このクリック機構では、金属製の球体とカム部とで係脱するために、耐久性に優れ、長期に渡ってクリック感触を得ることができる。このようなクリック機構を備えたスライド操作型電気部品としては、例えば特許文献１に挙げるようなものがある。
【特許文献１】実開平６−３８１３４号公報
【発明の開示】
【発明が解決しようとする課題】
【０００３】
しかし、従来のスライド操作型電気部品では、操作部材の凹部内にコイルバネが収納されているので、操作部材を薄型化することが困難である。このため、スライド操作型電気部品全体の薄型化を阻害することとなっていた。また、クリック機構を構成するための部品点数が多くなるため、組立が煩雑となり、コスト高の要因ともなっていた。
【０００４】
本発明は前記課題を鑑みてなされたものであり、簡易な機構で薄型化を図ることのできるクリック機構を有したスライド操作型電気部品を提供することを目的とする。
【課題を解決するための手段】
【０００５】
前記課題を解決するため、本発明に係るスライド操作型電気部品は、一面側が開口する収納部を有したケース体と、該ケース体内にスライド自在に保持された操作部材と、前記収納部の開口を覆う金属材からなるカバー体とを備えたスライド操作型電気部品であって、
前記操作部材は金属材からなる係合部材を保持する保持部を備え、前記カバー体には前記操作部材がスライドするのに伴って前記係合部材が係脱する弾性係合部を形成してなることを特徴として構成されている。
【０００６】
また、本発明に係るスライド操作型電気部品は、前記弾性係合部は前記操作部材の保持部と対向する位置に弾性変形可能に形成されると共に、前記操作部材側に突出する突部を備え、前記係合部材は前記操作部材がスライドするのに伴って前記突部と係脱することを特徴として構成されている。
【０００７】
さらに、本発明に係るスライド操作型電気部品は、前記操作部材の保持部は穴状に形成されて前記係合部材を保持し、前記係合部材は少なくとも前記突部と係脱する側が曲面状に形成されてなることを特徴として構成されている。
【０００８】
さらにまた、本発明に係るスライド操作型電気部品は、前記操作部材の保持部は貫通孔として形成され、前記係合部材を球体として前記保持部に保持させてなることを特徴として構成されている。
【０００９】
そして、本発明に係るスライド操作型電気部品は、前記ケース体の前記カバー体の弾性係合部と対向する位置に金属板からなる受部を配設し、前記操作部材がスライドするのに伴って前記受部が前記係合部材を受けることを特徴として構成されている。
【００１０】
また、本発明に係るスライド操作型電気部品は、前記ケース体には金属板からなる固定接点部材が設けられ、該固定接点部材と前記受部はいずれも前記ケース体にインサート成形されてなることを特徴として構成されている。
【００１１】
さらに、本発明に係るスライド操作型電気部品は、前記操作部材の少なくとも保持部及びその近傍は金属材により形成されてなることを特徴として構成されている。
【発明の効果】
【００１２】
本発明に係るスライド操作型電気部品によれば、操作部材は金属材からなる係合部材を保持する保持部を備え、カバー体には操作部材がスライドするのに伴って係合部材が係脱する弾性係合部を形成してなることにより、クリック感触を創出するための弾性力がカバー体によって付与されるため、操作部材に弾性部材を収納する必要がなく、操作部材を薄型化することができ、全体の薄型化も図ることができる。また、部品点数を少なくできると共に、係合部材を組み込む際に弾性力がかからないようにすることができるので、組立の作業性もよくすることができる。
【００１３】
また、本発明に係るスライド操作型電気部品によれば、弾性係合部は操作部材の保持部と対向する位置に弾性変形可能に形成されると共に、操作部材側に突出する突部を備え、係合部材は操作部材がスライドするのに伴って突部と係脱することにより、操作部材のスライド操作に伴って係合部材をカバー体側と確実に係脱させてクリック感触を創出することができる。
【００１４】
さらに、本発明に係るスライド操作型電気部品によれば、操作部材の保持部は穴状に形成されて係合部材を保持し、係合部材は少なくとも突部と係脱する側が曲面状に形成されてなることにより、クリック感触を良好にすることができる。
【００１５】
さらにまた、本発明に係るスライド操作型電気部品によれば、操作部材の保持部は貫通孔として形成され、係合部材を球体として保持部に保持させてなることにより、クリック感触をより良好にすることができると共に、操作部材の更なる薄型化も図ることができる。
【００１６】
そして、本発明に係るスライド操作型電気部品によれば、ケース体のカバー体の弾性係合部と対向する位置に金属板からなる受部を配設し、操作部材がスライドするのに伴って受部が係合部材を受けることにより、金属材からなる係合部材を金属板からなる受部で受けることとなるため、ケース体側が削れることがなく、長寿命化を図ることができる。また、摩耗による作動力の劣化も少なくすることができる。
【００１７】
また、本発明に係るスライド操作型電気部品によれば、ケース体には金属板からなる固定接点部材が設けられ、固定接点部材と受部はいずれもケース体にインサート成形されてなることにより、ケース体の強度を増すことができると共に、製造の工数も少なくすることができる。
【００１８】
さらに、本発明に係るスライド操作型電気部品によれば、操作部材の少なくとも保持部及びその近傍は金属材により形成されてなることにより、係合部材による操作部材の摩耗を少なくしてより長寿命化を図ることができる。
【発明を実施するための最良の形態】
【００１９】
本発明の実施形態について図面に沿って詳細に説明する。図１には、本実施形態におけるスライド操作型電気部品の斜視図を示している。この図に示すように、本実施形態におけるスライド操作型電気部品は、一面側が開口するケース体１と、ケース体１の開口を覆うように設けられるカバー体２と、ケース体１内にスライド自在に保持される操作部材３とを有して構成されている。本実施形態のスライド操作型電気部品は、操作部材３がケース体１に設けられるスライド開口１１に沿ってスライド自在とされ、これをスライドさせることによってケース体１内において接点の導通状態が変化し、その出力をケース体１に設けられる端子部４０ｂ、４１ｂ、４２ｂから取り出すことのできるスライドスイッチとして構成されている。
【００２０】
図２には、スライド操作型電気部品の分解斜視図を示している。この図に示すように、スライド操作型電気部品は、前述のケース体１とカバー体２及び操作部材３と、操作部材３に取付けられる可動接点体５０と、操作部材３に保持されてスライド操作に伴いカバー体２と係脱する係合部材４とを有している。
【００２１】
ケース体１には、一面に開口１０ａを有し操作部材３等を内部に納める収納部１０が形成されている。ケース体１の一側面には、操作部材３をスライドさせるためのスライド開口１１が開口１０ａ側から連続状に形成されている。開口１０ａと対向する底面には、スライド方向に沿って固定接点を露出させる固定接点露出部１２が溝状に形成されている。固定接点は、溝状に形成された固定接点露出部１２の底面において露出するようにケース体１に埋設されている。
【００２２】
また、ケース体１の底面には、固定接点露出部１２と隣接した位置に、スライド方向に沿って突出状に形成された案内突部１３が形成されている。案内突部１３は、操作部材３をスライド方向に案内する機能を有する。さらに、ケース体１の底面のスライド開口１１の部分には、係合部材４をスライド方向に案内する案内溝１４が形成されている。案内溝１４の底面には、ケース体１内に埋設される受部１５が露出する。受部１５は金属板によって形成されるものであり、係合部材４を底面側から受けることができる。
【００２３】
ケース体１には固定接点部材が埋設されている。図３には、固定接点部材及び受部１５の斜視図を示している。この図では、固定接点部材及び受部１５をケース体１に埋設された状態における配置で示している。固定接点部材は、第１固定接点体４０と第２固定接点体４１及び第３固定接点体４２の３つの部材からなっており、いずれも金属板によって構成されている。また、受部１５も金属板によって構成されている。これらはいずれもケース体１とインサート成形により一体化される。
【００２４】
第１固定接点体４０は、操作部材３のスライド方向に沿って伸びる接触部４０ａと、接触部４０ａと直交する方向に伸びてケース体１の外部に露出する端子部４０ｂとからなっている。接触部４０ａは、ケース体１の収納部１０に形成される固定接点露出部１２の底面を構成し、操作部材３のスライド全域において可動接点体５０と接触する。
【００２５】
第２固定接点体４１は、上方に伸びてケース体１内に露出する接触部４１ａと、第１固定接点体４０の端子部４０ｂと平行な方向に伸びてケース体１の外部に露出する端子部４１ｂとからなっている。第３固定接点体４２も、第２固定接点体４１と同様の構成からなり、上方に伸びてケース体１内に露出する接触部４２ａと、第１固定接点体４０の端子部４０ｂと平行な方向に伸びてケース体１の外部に露出する端子部４２ｂとからなっている。
【００２６】
受部１５は、ケース体１内に埋設された状態で案内溝１４の底面から露出する底面構成部１５ａと、底面構成部１５ａからケース体１の側面側に突出し、ケース体１の外部に露出する露出部１５ｂとを有して構成されている。底面構成部１５ａは、第１固定接点体４０の接触部４２ａと平行な方向、すなわち操作部材３のスライド方向に沿って伸びており、またケース体１の案内溝１４の全長に渡る長さを有するように形成されている。また、露出部１５ｂは、静電気を外部に逃がすアースとして機能する。
【００２７】
図２に示すように、カバー体２は金属材からなるものであって、ケース体１の開口１０ａを覆う上面部２０と、ケース体１の側面に対して取付けられる側面部２１とを有して構成されている。上面部２０のうちケース体１のスライド開口１１付近を覆う部分には、折り曲げ及び切欠が形成されることによって上下方向に弾性変形可能な弾性係合部２２が形成されている。弾性係合部２２の中央部には、その他の部分よりも一段低くなるように形成されてケース体１側に突出する突部２３が形成されている。弾性係合部２２は、操作部材３のスライド操作に伴って移動する係合部材４と係脱してクリック感触を創出する。
【００２８】
操作部材３は、ケース体１のスライド開口１１から外部に露出する金属製の操作体３０と、ケース体１の内部で可動接点体５０を保持する樹脂製の接点保持体３１とが、インサート形成により一体化されて構成されている。操作体３０は、金属の薄板によって構成されており、ケース体１の外部に露出する部分は略方形状に形成され、スライド開口１１よりケース体１の内側であって、ケース体１の案内溝１４とカバー体２の弾性係合部２２との間に配置される部分には、円形の貫通孔からなる保持部３２が形成されている。保持部３２には、金属の球体からなる係合部材４を納めることができる。
【００２９】
このように操作部材３に貫通孔からなる保持部３２が形成されているので、係合部材４はケース体１内において操作部材３に保持された状態となり、操作部材３のスライド操作に伴って係合部材４はスライド方向に移動する。また、保持部３２が形成された操作部材３の操作体３０は、金属の薄板で構成されているため、保持部３２に保持された係合部材４は操作部材３よりもケース体１側及びカバー体２側の両方に突出する。なお、係合部材４は少なくとも弾性係合部２２側を滑らかな曲面としておくことで、クリック感触を良好にすることができるが、本実施形態では係合部材４は球体であるため、操作部材３のスライド操作に伴って係合部材４は回転し、球面が突部２３と係脱することとなるため、より良好なクリック感触を得ることができる。
【００３０】
係合部材４のケース体１側に突出した部分は、前述のように案内溝１４の底面を構成する受部１５によって受けられており、一方で係合部材４のカバー体２側に突出した部分は、弾性係合部２２と対向する。操作部材３をスライド操作させて係合部材４をスライド方向に移動させると、係合部材４はスライド方向の中央位置において弾性係合部２２の突部２３と係脱し、これによって操作部材３にスライド操作に伴うクリック感触を創出することができる。
【００３１】
操作部材３には、操作体３０と接点保持体３１とで下面にスライド方向に沿う溝部３３が形成されている。溝部３３はケース体１内に形成される案内突部１３に略適合する形状に形成されており、操作部材３がケース体１内に配置された状態で、操作部材３は案内突部１３によってスライド方向にガイドされる。これによって、操作部材３を円滑にスライド操作させることができる。
【００３２】
また、操作部材３を構成する接点保持体３１の下面側には、可動接点体５０を固定する接点固定部３４が形成されている。可動接点体５０は、第１固定接点体４０の接触部４０ａと接触する底面側接触部５１と、第２固定接点体４１の接触部４１ａまたは第３固定接点体４２の接触部４２ａと接触する側面側接触部５２とを有して構成されている。底面側接触部５１は、ケース体１内でスライド方向に伸びる第１固定接点体４０の接触部４０ａと常時接触し、一方で側面側接触部５２は、操作部材３のスライド操作に伴って第２固定接点体４１または第３固定接点体４２のいずれかと接触する。これによって可動接点体５０と固定接点との導通状態が変化するので、スライド操作の検出を行うことができる。
【００３３】
本実施形態では、操作部材３を金属材からなる操作体３０と樹脂材からなる接点保持体３１の二部材で構成したが、これを一部材で構成するようにしてもよい。図４には一部材で構成した場合の操作部材３の斜視図を示している。この場合、操作部材３は全体を樹脂材によって形成している。操作部材３は、図２の場合の操作体３０に相当する操作部３５と、図２の場合の接点保持体３１に相当する接点保持部３６とを有し、操作部３５と接点保持部３６との間の領域は薄板状に形成されると共に、当該領域に貫通孔が設けられて保持部３２を形成している。
【００３４】
図４の場合においても、球体からなる係合部材４が保持部３２に保持され、操作部材３のスライド操作と共に移動する。また、操作部材３を全て樹脂材で形成しているので、保持部３２が形成されている領域はある程度の厚みを有しており、保持部３２を図示するような貫通孔ではなく有底穴によって構成してもよい。この場合、さらに操作部材３に球体からなる係合部材４を受ける金属板を埋設して保持部３２の底部から露出するようにしてもよい。このように、操作部材３を樹脂の一部材からなるようにすることで、軽量化を図ることができると共に、成形も容易にすることができる。一方で、図２に示したように操作部材３を金属と樹脂を一体化して形成した場合には、操作部材３の長寿命化及び強度の向上を図ることができる。また、保持部３２及びその近傍部分が金属材によって構成されるので、係合部材４を受ける強度も向上させることができる。
【００３５】
以上、本発明の実施形態について説明したが、本発明の適用は本実施形態には限られず、その技術的思想の範囲内において様々に適用されうるものである。本実施形態ではスライド操作型電気部品を、操作部材３のスライド操作によって接点の導通状態を切替えるスライドスイッチとして構成したが、操作部材３がスライド操作される他の電気部品として構成してもよく、例えばスライド可変抵抗器としてもよい。また、本実施形態では係合部材として球体を用いているが、円柱状の部材からなるころであってもよい。
【図面の簡単な説明】
【００３６】
【図１】本実施形態におけるスライド操作型電気部品の斜視図である。
【図２】スライド操作型電気部品の分解斜視図である。
【図３】固定接点部材及び受部の斜視図である。
【図４】一部材で構成した操作部材の斜視図である。
【符号の説明】
【００３７】
１    ケース体
２    カバー体
３    操作部材
４    係合部材
１０    収納部
１０ａ  開口
１１    スライド開口
１２    固定接点露出部
１３    案内突部
１４    案内溝
１５    受部
２０    上面部
２１    側面部
２２    弾性係合部
２３    突部
３０    操作体
３１    接点保持体
３２    保持部
３３    溝部
３４    接点固定部
３５    操作部
３６    接点保持部
４０    第１固定接点体
４１    第２固定接点体
４２    第３固定接点体
５０    可動接点体
５１    底面側接触部
５２    側面側接触部
【図１】
2009064613.tif 000003
【図２】
2009064613.tif 000004
【図３】
2009064613.tif 000005
【図４】
2009064613.tif 000006